(57)【要約】【課題】コンパクトに収容することができ、取り扱いが容易な太陽発電システムを提供する。【解決手段】複数の太陽電池モジュール２，２，…と、各太陽電池モジュール２を収容する防護カバー３と、複数の防護カバー３同士を連結する連結体４と、太陽電池モジュール２に接続された電気配線５と、を備える太陽発電システム１であって、連結体４は、柔軟性を有する材料により構成されており、防護カバー３は、太陽光を透過する材料により構成されている。【選択図】図１
2010212405.tif 000002
【特許請求の範囲】
【請求項１】
複数の太陽電池モジュールと、
前記各太陽電池モジュールを収容する防護カバーと、
複数の前記防護カバー同士を連結する連結体と、を備える太陽発電システムであって、
前記連結体は、柔軟性を有する材料により構成されており、
前記防護カバーは、太陽光を透過する材料により構成されていることを特徴とする、太陽発電システム。
【請求項２】
複数の太陽電池モジュールと、
前記複数の太陽電池モジュールを収容する防護カバーと、を備える太陽発電システムであって、
前記複数の太陽電池モジュールは、隣接する他の太陽電池モジュールと間隔をあけた状態で前記防護カバーに収容されており、
前記防護カバーは、太陽光を透過するとともに柔軟性を有する材料により構成されていることを特徴とする、太陽発電システム。
【請求項３】
複数の太陽電池モジュールと、
前記太陽電池モジュールを収容する防護カバーと、
複数の前記防護カバーを収容する連結カバーと、を備える太陽発電システムであって、
前記複数の防護カバーは、太陽光を透過する材料により構成されていて、隣接する他の防護カバーと間隔をあけた状態で連結カバーに収容されており、
前記連結カバーは、太陽光を透過するとともに柔軟性を有する材料により構成されていることを特徴とする、太陽発電システム。
【請求項４】
前記連結体の内部に、気体を充填可能な空間が形成されていることを特徴とする、請求項１に記載の太陽発電システム。
【請求項５】
前記防護カバーに、気体を充填可能な空間が形成されていることを特徴とする、請求項２に記載の太陽発電システム。
【請求項６】
前記連結カバーに、気体を充填可能な空間が形成されていることを特徴とする、請求項３に記載の太陽発電システム。
【請求項７】
前記太陽電池モジュールに接続された電気配線を備えており、
前記電気配線は、柔軟性を備える電線により構成されていることを特徴とする、請求項１乃至請求項６のいずれか１項に記載された太陽発電システム。
【請求項８】
前記太陽電池モジュールに接続された電気配線を備えており、
前記電気配線は、前記太陽電池モジュール同士の間隔に配設されたフレキシブル管内おいて撓んだ状態で配線されていることを特徴とする、請求項１乃至請求項６のいずれか１項に記載の太陽発電システム。
【発明の詳細な説明】
【技術分野】
【０００１】
本発明は、太陽発電システムに関する。
【背景技術】
【０００２】
太陽電池は、１メートル四方程度の太陽電池パネルを、屋上や壁面に固定された固定枠内に敷き詰めて設置するのが一般的である。
【０００３】
しかし、この設置方法では、設置された太陽電池を簡易に移動させることができないため、台風などの影響が懸念される場合には、別途対策工を講じておく必要があった。
また、短期的に太陽電池を設置する場合には、その設置および撤去の手間により、費用が高価になってしまうという問題点を有していた。
【０００４】
そのため、特許文献１には、太陽電池の引き揚げ作業を簡易に行い、太陽電池をコンパクトに収容することを可能とした太陽発電システムが開示されている。
この太陽発電システムは、太陽電池モジュールが配設された太陽電池パネル同士を、蝶番金具により折り畳み可能に連結することで、簡易に折り畳むことを可能としている。
【先行技術文献】
【特許文献】
【０００５】
【特許文献１】特開２００６−２０２８１３号公報
【発明の概要】
【発明が解決しようとする課題】
【０００６】
ところが、特許文献１の太陽発電システムは、蝶番金具と、蝶番金具による連結が可能な強度と形状を有する太陽電池パネルとにより、装置が大掛かりになる場合があった。そのため、収容時の太陽発電システムのコンパクト化や太陽発電システムの移動時等の取り扱い性の向上に限界があった。
【０００７】
本発明は、前記の問題点を解決することを目的とするものであり、コンパクトに収容することができ、取り扱いが容易な太陽発電システムを提供することを課題とする。
【課題を解決するための手段】
【０００８】
前記課題を解決するために、第一発明の太陽発電システムは、複数の太陽電池モジュールと、前記各太陽電池モジュールを収容する防護カバーと、複数の前記防護カバー同士を連結する連結体とを備えており、前記連結体は柔軟性を有する材料により構成されていて、前記防護カバーは太陽光を透過する材料により構成されていることを特徴としている。
【０００９】
また、第二発明の太陽発電システムは、複数の太陽電池モジュールと、前記複数の太陽電池モジュールを収容する防護カバーとを備えており、前記複数の太陽電池モジュールは隣接する他の太陽電池モジュールと間隔をあけた状態で前記防護カバーに収容されていて、前記防護カバーは太陽光を透過するとともに柔軟性を有する材料により構成されていることを特徴としている。
【００１０】
さらに、第三発明の太陽発電システムは、複数の太陽電池モジュールと、前記太陽電池モジュールを収容する防護カバーと、複数の前記防護カバーを収容する連結カバーとを備えており、前記複数の防護カバーは太陽光を透過する材料により構成され、隣接する他の防護カバーと間隔をあけた状態で連結カバーに収容されていて、前記連結カバーは太陽光を透過するとともに柔軟性を有する材料により構成されていることを特徴としている。
【００１１】
かかる太陽発電システムによれば、連なる複数の太陽電池モジュールを巻き立てる若しくは折り畳むことでコンパクトな形状に収容することができる。
太陽電池モジュールは、防護カバーにより保護されているため、巻き立てること若しくは折り畳むことにより破損することがない。
また、太陽電池モジュール同士は、蝶番金具等により機械的に連結されていないため、太陽発電システム全体が大掛かりになることがなく、取り扱い性に優れている。
【００１２】
また、第一発明の太陽発電システムの連結体の内部、第二発明の太陽発電システムの防護カバー、または、第三発明の太陽発電システムの連結カバーに、気体等を充填可能な空間が形成されていれば、この空間に空気等を注入して浮力を付与することで連結体、防護カバーまたは連結カバーが「浮き」になるので、太陽発電システムを水面あるいは空中に浮かべることが可能となる。
【００１３】
また、太陽発電システムの前記太陽電池モジュールに接続された電気配線は、伸縮性を備える電線により構成されていても良いし、太陽電池モジュール同士の間隔に配設されたフレキシブル管内おいて撓んだ状態で配線されていても良い。
【００１４】
かかる太陽発電システムによれば、電気配線が太陽発電システムの巻き立て時若しくは折り畳み時に破損することが防止されている。
【発明の効果】
【００１５】
本発明によれば、コンパクトに収容することができ、取り扱いが容易な太陽発電システムを提供することが可能となる。
【図面の簡単な説明】
【００１６】
【図１】（ａ）は第１の実施の形態に係る太陽発電システムを示す平面図であって、（ｂ）は（ａ）のＡ−Ａ断面図である。
【図２】第１の実施の形態に係る太陽発電システムの連結部分を示す拡大図であって、（ａ）は断面図、（ｂ）は分解図、（ｃ）は電気配線を示す模式図である。
【図３】（ａ）は第１の実施の形態に係る太陽発電システムの巻き立て状況を示す図、（ｂ）は同設置状況を示す図である。
【図４】（ａ）および（ｂ）は太陽発電システムの巻き立て方法の変形例を示す模式図である。
【図５】（ａ）〜（ｄ）は第１の実施の形態に係る太陽発電システムを折り畳む場合の各段階を示す側面図である。
【図６】第２の実施の形態に係る太陽発電システムの連結部分を示す図であって、（ａ）は拡大断面図、（ｂ）は分解図である。
【図７】第３の実施の形態に係る太陽発電システムの連結部分を示す図であって、（ａ）は拡大断面図、（ｂ）は分解図である。
【図８】第４の実施の形態に係る太陽発電システムを示す平面図である。
【図９】（ａ）は図８の太陽発電システムのＢ−Ｂ断面図であって、（ｂ）は同太陽発電システムの使用状況を示す断面図である。
【図１０】（ａ）および（ｂ）は太陽発電システムの変形例を示す平面図である。
【図１１】太陽発電システムの他の変形例を示す図であって、（ａ）は平面図、（ｂ）は断面図である。
【発明を実施するための形態】
【００１７】
＜第１の実施の形態＞
第１の実施の形態に係る太陽発電システム１は、図１（ａ）および（ｂ）に示すように、複数の太陽電池モジュール２，２，…と、各太陽電池モジュール２を収容する防護カバー３と、複数の防護カバー３，３，…同士を連結する連結部材（連結体）４と、太陽電池モジュール２に接続された電気配線５と、を備えている。
【００１８】
本実施形態では、複数（本実施形態では１５枚）の太陽電池モジュール２，２，…を縦横に所定の間隔を空けた状態で並べて太陽発電システム１を構成する。太陽電池モジュール２は、光エネルギーを電力に変換するセルの集合体であり、平板状を呈している。
【００１９】
なお、太陽電池モジュール２の数や配置は限定されるものではなく、太陽発電システム１の設置が予定された場所の広さや形状等に応じて適宜設定することが可能である。また、太陽電池モジュール２同士の間隔は限定されるものではなく、適宜設定することが可能である。
【００２０】
防護カバー３は、図２（ａ）に示すように、箱状または袋状の部材であって、太陽電池モジュール２を収容することで、太陽電池モジュール２を保護する。防護カバー３の開口部は接着、溶着等により密封する。
防護カバー３を構成する材料は、太陽光を透過する材料により構成されていれば限定されるものではないが、例えば、ガラス、ポリカーボネート樹脂、アクリル樹脂、ＥＴＦＥ(テトラフルオロエチレン／エチレン共重合体)、ＰＶＣ(塩化ビニル樹脂)、ＰＶＤＦ（ポリフッ化ビニリデン）等が採用される。また、防護カバー３は、２枚のシートにより構成してもよい。この場合、２枚のシートで太陽電池モジュール２を挟み、太陽電池モジュール２の周囲においてシート同士を接着または溶着する。
【００２１】
本実施形態では、図１（ａ）に示すように、太陽電池モジュール２を収容した複数の防護カバー３同士を連結することにより、太陽発電システム１を構成している。
【００２２】
防護カバー３同士の接続は、巻き取り方向Ｘに対しては、防護カバー３同士の間に連結部材４を介設させた状態で行い、巻き取り方向と直交する方向（直交方向Ｙ）に対しては、防護カバー３同士を直接接続することにより行う。なお、直交方向Ｙに対しても連結部材４を介設させてもよい。また、防護カバー３同士の接続方法は限定されるものではないが、本実施形態では接着接合する。
【００２３】
連結部材４は、防護カバー３同士の間に介設され、防護カバー３の端面と連結部材４の端面とを突き合わせた状態で接着または溶着すると、防護カバー３同士が接続される（図２（ｂ）参照）。
【００２４】
連結部材４は、防護カバー３と同等の厚みを有した矩形断面の板状部材であって、伸縮（柔軟）性を有する材料により構成されている。連結部材４を構成する材料として、本実施形態ではゴムを採用するが、例えばＰＶＣ（塩化ビニル樹脂）やポリオレフィン系樹脂、フッ素樹脂等のうち伸縮性を確保できる樹脂材料等を使用しても良く、連結部材４の材料は限定されるものではない。また、連結部材４は、ジャバラ状（波型）に形成された可撓性の部材であってもよく、その形状は限定されるものではない。また、連結部材４として、袋状の樹脂材料の中に変形可能な材料や物質を入れたものを使用しても良い。具体的には、袋状の樹脂材料の中に空気・ヘリウムや樹脂ビーズ、砂、金属など入れて構成する。袋状の樹脂材料の中に入れるものによって太陽発電システム１に浮力を与えたり、風による舞い上がりを防止するための荷重を与えたりすることが可能になる。
【００２５】
電気配線５は、図１に示すように、Ｘ方向に列設された複数の太陽電池モジュール２，２，…に接続されている。電気配線５は列毎に配線されており、太陽発電システム１のＸ方向の端部でまとめられたうえで外部に引き出されている。
電気配線５は、太陽電池モジュール２により発電された電力を、図示せぬ蓄電池等に送電する。
【００２６】
電気配線５は、防護カバー３同士の接続部においては、図２（ｃ）に示すように、連結部材４に配設されたフレキシブル管６内に折り畳まれた（撓ませた）状態で配線されている。なお、電気配線５の配線方法は限定されるものではなく、例えば伸縮性を備える電線を使用することでフレキシブル管６を省略してもよい。
【００２７】
太陽発電システム１は、太陽電池モジュール２（防護カバー３）同士の間に配設された連結部材４が伸縮性を有しているため、図３（ａ）に示すように、巻き立てることでコンパクトに収容することが可能である。
【００２８】
太陽発電システム１の巻き立て方法は限定されるものではないが、図３（ｂ）に示すように、巻き立て装置７を使用して行うことができる。
【００２９】
巻き立て装置７は、ドラム７ａと、ドラム７ａに一体に固定された回転軸７ｂと、回転軸７ｂを支持する柱部材７ｃと、回転軸７ｂに回転力を与えるモータ（図示省略）を備え、柱部材７ｃを支持する支持台７ｄと、を備えている。なお、巻き立て装置７の構成は限定されるものではない。
【００３０】
ドラム７ａは、太陽電池モジュール２の長さよりも長い辺長を持つ多角形に形成されており、太陽発電システム１を巻き立てる際に、太陽電池モジュール２を曲げることなく巻き立てることを可能としている。
なお、本実施形態では、断面三角形に形成されたドラム７ａを使用する場合について説明するが、ドラム７ａの断面形状は限定されるものではなく、例えば、図４（ａ）に示すように、断面四角形に形成されていてもよい。また、太陽電池モジュール２自身が柔軟性を備えている場合には、ドラム７ａとして、図４（ｂ）に示すように断面円形のものを使用してもよい。
【００３１】
回転軸７ｂは、ドラム７ａの中心部に配設されており、柱部材７ｃに回転可能に支持されている。回転軸７ｂはモータの動力により回転することで、ドラム７ａに回転力を付与する。
【００３２】
柱部材７ｃは、回転軸７ｂを回転可能に支持する部材であって、ドラム７ａと支持台７ｄとの間に、ドラム７ａの周囲に太陽発電システム１を巻き立てることが可能な間隔を十分に確保することができる長さを有している。
【００３３】
支持台７ｄは、ドラム７ａを支持することが可能な重量および形状を備えており、内部に回転軸７ｂに回転力を付与するモータを備えている。なお、太陽発電システム１の巻き立て（ドラム７ａの回転）は、手動で行ってもよい。
【００３４】
以上、太陽発電システム１によれば、連結部材４が巻き立てられた際に伸長しつつ屈曲するため、太陽電池モジュール２同士を重ね合わせた状態でコンパクトに巻き立てることができる。
【００３５】
しかも太陽電池モジュール２は、それぞれ防護カバー３により保護されているため、巻き立てられた際に他の部材等に接触して破損することが防止されている。
【００３６】
太陽発電システム１は、巻き立てることで速やかにコンパクトな形状にまとめることができるため、移動、設置および撤去を早期かつ簡易に行うことができる。
したがって、太陽発電システム１の設置は、構造物の屋根や壁等に固定する場合に限定されず、工事現場やイベント会場などに短期的に設置することも可能となる。
【００３７】
太陽電池モジュール２を保護する防護カバー３は、太陽光を透過することが可能な材料により構成されているため、太陽電池モジュールによる発電を阻害することはない。
【００３８】
なお、太陽発電システム１は、折り畳むことで、巻き立てる場合と同様にコンパクトに収容することができる（図５参照）。太陽発電システム１の折り畳み方法は、限定されるものではないが、例えば図５（ａ）に示すように、折り畳み装置８を使用することにより行ってもよい。
【００３９】
折り畳み装置８は、太陽発電システム１の基端部を軸支する固定架台８ａと、太陽発電システム１の先端部を軸支する移動架台８ｂと、一つおきの連結部材４に設置された吊り輪８ｃと、吊り輪８ｃに挿通されたワイヤー８ｄと、ワイヤー８ｄの送り出しや巻き戻しを行う巻き取り装置８ｅと、を備えて構成されている。
【００４０】
図５（ｂ）および（ｃ）に示すように、巻き取り装置８ｅによりワイヤー８ｄを巻き取ることで、移動架台８ｂが巻き取り装置８ｅ方向に移動するため、太陽発電システム１は連結部材４において折り曲げられる。
【００４１】
ワイヤー８ｅをさらに巻き取ると、図５（ｄ）に示すように、太陽発電システム１が折り畳まれて、コンパクトに収容される。
【００４２】
＜第２の実施の形態＞
第２の実施の形態に係る太陽発電システム１ａは、図６（ａ）に示すように、複数の太陽電池モジュール２，２と、複数の太陽電池モジュール２，２を収容する防護カバー３と、太陽電池モジュール２に接続された電気配線５（図１参照）とを備えている。
【００４３】
複数の太陽電池モジュール２，２は、隣接する他の太陽電池モジュール２と間隔をあけた状態で防護カバー３に収容されている。
この他の太陽電池モジュール２に関する事項は、第１の実施の形態で示した内容と同様なため、詳細な説明は省略する。
【００４４】
防護カバー３は、太陽光を透過するとともに柔軟性を有する材料により構成されている。このような材料としては、例えばＥＴＦＥ(テトラフルオロエチレン／エチレン共重合体)、ＰＶＣ(塩化ビニル樹脂)、ＰＶＤＦ（ポリフッ化ビニリデン）等が好適に使用可能である。
【００４５】
防護カバー３は、図６（ａ）に示すように、太陽電池モジュール２同士の間において、上下を接着または溶着することにより、太陽電池モジュール２の位置決めを行う。
本実施形態では、図６（ｂ）に示すように、防護カバー３を２枚のシート（下側カバー３ａおよび上側カバー３ｂ）により構成している。なお、防護カバー３は、例えば袋状に形成されていてもよく、その構成は限定されるものではない。
【００４６】
電気配線５（図１参照）は、伸縮性を備える電線により構成されており、防護カバー３が伸長したり折畳まれたりした際に破断することがないように構成されている。なお、電気配線５の材質は限定されるものではない。
本実施形態では、太陽電池モジュール２とともに電気配線５を防護カバー３内に配線する。
【００４７】
太陽発電システム１ａの構築は、図６（ｂ）に示すように、まず、下側カバー３ａの上に複数の太陽電池モジュール２，２，…を敷設する。
次に、複数の太陽電池モジュール２，２，…を上方から上側カバー３ｂで覆う。
そして、図６（ａ）に示すように、太陽電池モジュール２同士の間（各太陽電池モジュール２の間）において、下側カバー３ａと上側カバー３ｂとを接着または溶着することに太陽発電システム１ａが完成する。
【００４８】
太陽発電システム１ａによれば、柔軟性を有する防護カバー３により太陽電池モジュール２同士が接続されているため、太陽電池モジュール２同士の連結部分（間隔）において防護カバー３が屈曲し、巻き立てることや折り畳むことが可能となる。そのため、太陽発電システム１ａを早期にコンパクトな形状に収容することができる。
【００４９】
太陽電池モジュール２は、防護カバー３により保護されているため、巻き立てや折り畳みにより破損することが防止されている。
【００５０】
この他の太陽発電システム１ａの作用効果は、第１の実施の形態の太陽発電システム１と同様なため、詳細な説明は省略する。
【００５１】
なお、太陽発電システム１ａは、防護カバー３に、空気等の気体を充填することが可能な空間が形成されているものであってもよい。太陽発電システム１ａは、この防護カバー３の空間に空気やヘリウムガス等を充填することで、浮力を備えることが可能となる。また、当該空間内に樹脂ビーズ、砂、金属等を錘として配置してもよい。
【００５２】
＜第３の実施の形態＞
第３の実施の形態に係る太陽発電システム１ｂは、図７（ａ）に示すように、複数の太陽電池モジュール２，２と、各太陽電池モジュール２を収容する防護カバー３と、複数の防護カバー３，３を収容する連結カバー９と、太陽電池モジュール２に接続された電気配線５（図１参照）とを備えている。
【００５３】
太陽電池モジュール２は、隣接する他の太陽電池モジュール２と間隔をあけた状態で防護カバー３に収容されている。
この他の太陽電池モジュール２に関する事項は、第１の実施の形態で示した内容と同様なため、詳細な説明は省略する。
【００５４】
防護カバー３は、太陽光を透過する材料により構成されていて、隣接する他の防護カバーと間隔をあけた状態で連結カバー９に収容されている。
この他の防護カバー３に関する事項は、第１の実施の形態で示した内容と同様なため、詳細な説明は省略する。
【００５５】
連結カバー９は、複数の太陽電池モジュール２，２，…を収容するものであり、太陽光を透過するとともに柔軟性を有する材料により構成されている。このような材料としては、例えばＥＴＦＥ(テトラフルオロエチレン／エチレン共重合体)、ＰＶＣ(塩化ビニル樹脂)、ＰＶＤＦ（ポリフッ化ビニリデン）等が好適に使用可能である。
【００５６】
連結カバー９は、図７（ａ）に示すように、太陽電池モジュール２を内包した防護カバー３の周囲において上下から接着または溶着することにより、防護カバー３の位置決めを行う。
本実施形態では、連結カバー９を袋状の部材により構成する。なお、連結カバー９の構成は限定されるものではなく、例えば太陽電池モジュール２を挟むように配設された２枚のシートにより構成してもよい。
【００５７】
電気配線５（図１参照）は、伸縮性を備える電線により構成されており、連結カバー９が伸長したり折畳まれたりした際に破断することがないように構成されている。なお、電気配線５の材質は限定されるものではない。
本実施形態では、太陽電池モジュール２とともに電気配線５を防護カバー３内に配線する。
【００５８】
太陽発電システム１ｂを構築する場合には、図７（ｂ）に示すように、まず、例えば、袋状の連結カバー９内に太陽電池モジュール２が収容された防護カバー３を複数配設する。
そして、図７（ａ）に示すように、防護カバー３同士の間において、連結カバー９の内面同士を接着または溶着することに太陽発電システム１ｂが完成する。
【００５９】
太陽発電システム１ｂによれば、柔軟性を有する連結カバー９により太陽電池モジュール２同士が接続されているため、巻き立てることや折り畳むことが可能となり、早期にコンパクトな形状に収容することができる。
【００６０】
太陽電池モジュール２は、防護カバー３により保護されているため、巻き立てや折り畳みにより破損することが防止されている。
【００６１】
この他の第３の実施の形態に係る太陽発電システム１ｂの作用効果は、第１の実施の形態の太陽発電システム１と同様なため、詳細な説明は省略する。
【００６２】
なお、太陽発電システム１ｂは、連結カバー９に、空気等の気体を充填することが可能な空間が形成されているものであってもよい。太陽発電システム１ｂは、この連結カバー９の空間に空気やヘリウムガス等を充填することで、浮力を備えることが可能となる。また、当該空間内に樹脂ビーズ、砂、金属等を錘として配置してもよい。
【００６３】
＜第４の実施の形態＞
第４の実施の形態に係る太陽発電システム１ｃは、図８に示すように、防護カバー３同士の接続について、巻き取り方向Ｘに対しては、防護カバー３，３の間に連結部材４を介設させた状態で行い、巻き取り方向Ｘと直交する方向（直交方向Ｙ）に対しては、筒状連結部材（筒状の材料からなる連結体）４ａを介設させた状態で行っている点で、直交方向Ｙに対しては防護カバー３同士を直接接続する第１の実施の形態に係る太陽発電システム１と異なっている。なお、巻き取り方向Ｘに対して筒状連結部材４ａを配置し、直交方向Ｙに対して連結部材４を設置してもよい。また、防護カバー３の接続を全て筒状連結部材４ａで行ってもよい。
【００６４】
太陽電池システム１ｃは、内部に太陽電池モジュール２を備える複数の防護カバー３が連結部材４を介して列状に接続された防護カバー列３０を備えている。
筒状連結部材４ａは、Ｙ方向に隣り合う防護カバー列３０，３０を接続する部材である。
【００６５】
筒状連結部材４ａは、図９（ａ）に示すように、その側端面が防護カバー列３０の側端面と突き合わせた状態で接着されることにより、隣り合う防護カバー列３０同士を連結している。
筒状連結部材４ａの内部には、気体を充填可能な空間が形成されている。筒状連結部材４ａには注入吸出し口４０が形成されており、内部の空間に空気等の気体を封入することが可能に構成されている。
【００６６】
筒状連結部材４ａは、図９（ｂ）に示すように、断面円形の筒状の部材であって、柔軟性を有する材料により構成されている。筒状連結部材４ａを構成する材料として、本実施形態ではゴムを採用するが、例えばＰＶＣ（塩化ビニル樹脂）やポリオレフィン系樹脂、フッ素樹脂等のうち空気によって伸縮性を確保できる樹脂材料を使用しても良く、筒状連結部材４ａの材料は限定されるものではない。また、筒状連結部材４ａは、例えば断面矩形状であってもよく、筒状連結部材４ａの形状も限定されるものではない。なお、連結部材４ａに代えて、防護カバー３と一体化整形した中空材料を使用しても良い。
【００６７】
本実施形態では、３列の防護カバー列３０を、くし状に形成された筒状連結部材４ａを介して連結することで太陽発電システム１ｃを形成するが、筒状連結部材４ａは列毎に分割されていてもよく、必ずしも一体に形成されてある必要はない。
【００６８】
この他、第４の実施の形態に係る太陽発電システム１ｃの構成は、第１の実施の形態で示した太陽発電システム１と同様なため詳細な説明は省略する。
【００６９】
太陽発電システム１ｃによれば、筒状連結部材４ａ内に空気を充填することで浮力を付与することができるため、洋上等において水Ｗに浮かせた状態で発電することが可能となる。また、空気の代わりにヘリウムガスを筒状連結部材４ａ内に充填することにより太陽発電システム１ｃを空中に設置することもできる。
【００７０】
太陽発電システム１ｃは、連結部材４および筒状連結部材４ａが伸縮（柔軟）性を有した部材により構成されているため、洋上に設置した場合において、台風の接近や波浪等に応じて撤去、移動を速やかに行うことができる。なお、連結部材４および筒状連結部材４ａの強度を想定される波浪等に応じて設定しておいてもよい。
【００７１】
巻き取り装置７を船舶等で運搬若しくは曳航すれば、洋上での設置、撤去を容易に行うことができる。
【００７２】
この他の太陽発電システム１ｃの作用効果は第１の実施の形態で示した太陽発電システム１と同様なため、詳細な説明は省略する。
【００７３】
以上、本発明について、好適な実施形態について説明した。しかし、本発明は、前述の各実施形態に限られず、前記の各構成要素については、本発明の趣旨を逸脱しない範囲で、適宜設計変更が可能であることはいうまでもない。
【００７４】
例えば、前記実施形態では、連結体（連結部材４）としてゴム製の部材を使用する場合について説明したが、連結体の構成は限定されるものではない。例えば、洋上等、広範囲に設置する場合には、図１０（ａ）および（ｂ）に示す太陽発電システム１ｄのように、連結体としてワイヤーやロープ等の線状連結部材４ｂを採用してもよい。太陽発電システム１ｄによれば、太陽電池モジュール２同士を離隔させて、広範囲に設置するとともに太陽電池モジュール２同士が干渉することを防止できる。
また。図１０（ａ）および（ｂ）に示すように、連結体同士（筒状連結部材４ａと線状連結部材４ｂ）を組み合わせて使用してもよい。
【００７５】
また、太陽発電システムの巻き立て（折り畳み）方向は限定されるものではなく、適宜設定することが可能である（図１０（ａ）および（ｂ）参照）。
【００７６】
また、図１１（ａ）および（ｂ）に示すように、太陽光を透過する材料からなる浮き体１０により太陽発電システム１全体を覆うことで、太陽発電システム１に浮力を付与してもよい。なお、浮き体１０の形状や浮き体１０の材質等は限定されるものではない。
【符号の説明】
【００７７】
１    太陽発電システム
２    太陽電池モジュール
３    防護カバー
４    連結部材（連結体）
４ａ  筒状連結部材（連結体）
５    電気配線
６    フレキシブル管
９    連結カバー
【図１】
2010212405.tif 000003
【図２】
2010212405.tif 000004
【図３】
2010212405.tif 000005
【図４】
2010212405.tif 000006
【図５】
2010212405.tif 000007
【図６】
2010212405.tif 000008
【図７】
2010212405.tif 000009
【図８】
2010212405.tif 000010
【図９】
2010212405.tif 000011
【図１０】
2010212405.tif 000012
【図１１】
2010212405.tif 000013